(57)【要約】【課題】  針床の櫛状プレートおよび編針の裏面と、編目抑止板との間に生じる隙間に編糸が噛み込む問題を解決することができる編目抑止板を備えた横編機を提供する。【解決手段】  編目抑止板５を備えた横編機１において、上方受け部材８は、針床２の歯口７近傍に屈曲部２５を形成すると共に、針床面１０の法線方向に延びて編目抑止板５の上端面１６に当接する第１作用部２６と、編目抑止板５の裏面２３に当接する第２作用部２７とを有し、第１作用部２６と第２作用部２７とは屈曲部２５を介して連続するように構成する。これにより、編目抑止板５は、第１作用部２６によって針床２の歯口７側へ離間しないように規制されるとともに、第２作用部２７によって櫛状プレート３および編針４の裏面９からも離間しないように規制され、歯口７近傍に生じる隙間１４を好適に狭めて編糸の噛み込みを防止することができる。【選択図】  図３
2011026741.tif 000002
【特許請求の範囲】
【請求項１】
編針を針溝内に進退自在に配列した前後針床の歯口近傍に設けられ、針床長手方向に延びる編目抑止板を、針床面の法線方向に対しては、前記針床の歯口を形成する櫛状プレートおよび編針の裏面と、針床の裏側に配設される裏面受け部材とによって挟持し、編針の進退方向に対しては、針床と、針床に固定された上方受け部材とによって挟持して、前記編目抑止板を針床長手方向に移動可能に案内する横編機において、
前記上方受け部材は、前記歯口近傍に屈曲部を形成すると共に、針床面の法線方向に延びて前記編目抑止板の上端面に当接する第１作用部と、編目抑止板の裏面に当接する第２作用部とを有し、第１作用部と第２作用部とは前記屈曲部を介して連続することを特徴とする横編機。
【発明の詳細な説明】
【技術分野】
【０００１】
本発明は、編目抑止板を備えた横編機の改良に関する。
【背景技術】
【０００２】
従来の手袋用の横編機は、手袋の小指から人差し指の順に指袋を編んで掌甲部の親指付け根迄（四本胴）を編み、続いて親指を編んでから掌甲部の手首迄（五本胴）を編み、さらに手首のゴム糸挿入部を編む工程を連続編成で行うものであり、前後一対の針床に小指から親指を編む編針を配列し、それらの編針は各指毎の必要所定本数の編針に、隣接の指袋または胴袋に共通して使用する２〜４本の編針を含めて配列して構成されている。各指の編針は、小指から人差し指及び親指の指袋を編むときに従って編成動作を行い、各指の大きさ（厚さ）を得るために隣接の指袋に共通して使用する編針を含んでいる。このような動作の基本的な公知例は、特許文献１や特許文献２などで開示されている。前述の如く、各指袋で共通使用する編針により２〜４の編目を次の指袋の編目と重ねて編成するのは、指股部に穴が生ずるのを防止するとともに、胴袋の編み巾の範囲内で各指の肉厚に相当する指袋の周長を補完し、充分な大きさの指袋を確保するためである。手袋を編成する際に、指股部の編針にかかった各編目を抑止する編目抑止板（通称カミソリ）の編目抑止溝は、小指と薬指の共通編針の編目を抑える位置から親指編成後の胴を編成する位置、即ち、編目抑止溝が全編み巾の親指側の外まで各指及び胴の編成位置へと移行する。こうした一連の動作は、指付きの靴下を編成する場合においても、各指や胴の太さ及び編成コースに差異があるとしても同様な動作が繰り返される。
【０００３】
編目抑止板は、前後一対の針床のそれぞれの裏側に配設される。図１は横編機の前後一対のキャリッジおよび針床の側面断面図である。図２は、横編機の前側針床の平面図であり、針床２の表側には櫛状プレート３および編針４が列設されている。なお、ここでは編目抑止板５を図示するために針床２の一部に切欠を設けるとともに、複数のニードルプレート１９を一体に連結するための鋼帯３０を省略して示している。針床２の長手方向に配列される櫛状プレート３の外側において、針床２の裏側に裏面受け部材６が配設され、歯口７近傍に上方受け部材１０８が配設されている。編目抑止板５は、櫛状プレート３および編針４の裏面９と、針床２の裏側に配設される裏面受け部材６とによって針床面１０の法線方向Ｙに対して挟持されると共に、針床２と、上方受け部材１０８とによって編針４の進退方向Ｘに対して挟持されている。なお、図２の紙面において手前方向および奥行き方向が前記方向Ｙである。さらに、編目抑止板５の一端に設けた連結用穴１１を図示しない駆動手段に取り付けて針床長手方向の各編成操作位置に摺動移動するように構成されている。編目抑止板５には編目抑止溝１２と編目複合傾斜面１３とが併設されており、編目抑止板５を摺動移動することで、指股部の編針にかかった各編目を編目抑止溝１２に収容したり、収容した各編目を編目複合傾斜面１３に沿って押し上げて、次の指袋の編目と重ねることができる。
【先行技術文献】
【特許文献】
【０００４】
【特許文献１】特公昭４１−９８２３号公報
【特許文献２】特許第３７０３７９７号公報
【発明の概要】
【発明が解決しようとする課題】
【０００５】
図５は、図２のＡ−Ａ線断面図であって、従来の横編機における前側針床の側面断面図である。従来の編目抑止板５を備えた横編機１における針床２の歯口７近傍では、櫛状プレート３および編針４の裏面９と、編目抑止板５との間に、各部の精度に起因する隙間１４が生じる。ゲージ（１インチ当たりの針数）の粗い横編機で比較的太い番手の編糸を用いて編成する場合は、隙間１４に編糸が噛み込むことは無かったが、１８ゲージなどのゲージが細かい横編機では、隙間１４が大きいと編糸が噛み込むことがある。編糸の噛み込みは、編目抑止板５を摺動移動して、編目抑止溝１２に収容していた指股部の各編目を編目複合傾斜面１３に沿って押し上げる動作において発生しやすい。図５に示す様に、編目抑止板５は、櫛状プレート３および編針４の裏面９と、裏面受け部材６とによって針床面１０の法線方向Ｙに対して挟持されているが、裏面受け部材６は針床２の歯口７まで延びていないため、歯口７の近傍で効果的に編目抑止板５を挟持することができない。また、上方受け部材１０８についても、編目抑止板５を編針４の進退方向Ｘに対して挟持するように針床２の取り付け部１５に対してネジで固定され、編目抑止板５の上端面１６に当接するのみであり、隙間１４を狭める方向には作用しない。なお、図中の屈曲部２９は、取り付け部１５に当接させて位置決めを容易に行なうためのものである。
【０００６】
本発明の目的は、針床の櫛状プレートおよび編針の裏面と、編目抑止板との間に生じる隙間に編糸が噛み込む問題を解決することにある。
【課題を解決するための手段】
【０００７】
本発明は、編針を針溝内に進退自在に配列した前後針床の歯口近傍に設けられ、針床長手方向に延びる編目抑止板を、針床面の法線方向に対しては、前記針床の歯口を形成する櫛状プレートおよび編針の裏面と、針床の裏側に配設される裏面受け部材とによって挟持し、編針の進退方向に対しては、針床と、針床に固定された上方受け部材とによって挟持して、前記編目抑止板を針床長手方向に移動可能に案内する横編機において、
前記上方受け部材は、前記歯口近傍に屈曲部を形成すると共に、針床面の法線方向に延びて前記編目抑止板の上端面に当接する第１作用部と、編目抑止板の裏面に当接する第２作用部とを有し、第１作用部と第２作用部とは前記屈曲部を介して連続することを特徴とする。
【発明の効果】
【０００８】
本発明によれば、上方受け部材は、歯口近傍に屈曲部を形成すると共に、針床面の法線方向に延びて編目抑止板の上端面に当接する第１作用部と、編目抑止板の裏面に当接する第２作用部とを有し、第１作用部と第２作用部とは屈曲部を介して連続するので、編目抑止板は、第１作用部によって針床の歯口側へ進出しないように規制されるとともに、第２作用部によって櫛状プレートおよび編針の裏面からも離間しないように規制され、歯口近傍に生じる隙間を好適に狭めて編糸の噛み込みを防止することができる。
【図面の簡単な説明】
【０００９】
【図１】横編機の前後一対のキャリッジおよび針床の側面断面図
【図２】横編機の前側針床の一部切欠平面図
【図３】本発明の実施例に係る横編機における前側針床の側面断面図
【図４】本発明の実施例に係る横編機における上方受け部材の三面図
【図５】従来の横編機における前側針床の側面断面図
【発明を実施するための形態】
【００１０】
以下、図１〜図４を用いて本発明を実施するための最適実施例を示す。図１は横編機における前後一対のキャリッジおよび針床の側面断面図、図２は横編機の前側針床の一部切欠平面図であり、前述の従来の横編機の説明でも用いたが、本実施例の横編機に関しても基本的に同じである。図３は図２のＡ−Ａ線断面図であって、本実施例の横編機における前側針床の側面断面図である。図４は本実施例の横編機における上方受け部材の三面図であり、（ａ）は平面図、（ｂ）は正面図、（ｃ）は側面図をそれぞれ示す。各図では、先行する図で説明している部分と対応する部分に同一の参照符を付し、重複する説明を省略する場合がある。なお、前述の図１，図２，図５で用いた参照符についても同様である。
【実施例】
【００１１】
図１に示すように、編機１は、各々前後一対のキャリッジ１７および針床２と、給糸口１８などで構成されている。キャリッジ１７は給糸口１８を連行しながら針床長手方向に往復動作し、キャリッジ１７の図示しないカム機構によって編針４を進退動させ、給糸口１８から供給される編糸を掛止する工程を繰り返して編地を形成する。ここで、編目抑止板５は前後対称型に針床２に取り付けられるので、以降は前側の針床２の構成について説明する。前側の針床２には、編針４が針床２に数多く植設されたニードルプレート１９の間を進退動可能に配列され、前記ニードルプレート１９の上端編み口側は歯口７として櫛状プレート３を形成する。編目抑止板５は細長の板状体であって、図１〜図３に示すように、櫛状プレート３および編針４の裏面９と、針床２の裏側に配設される裏面受け部材６とによって針床面１０の法線方向Ｙに対して挟持されると共に、針床２と、上方受け部材８とによって編針４の進退方向Ｘに対して挟持されている。詳細には、編目抑止板５の表面２０は櫛状プレート３および編針４の裏面９に当接し、下端面２１は針床２の上端面２２に当接し、裏面２３は裏面受け部材６に当接し、上端面１６は針床長手方向に配列される櫛状プレート３の外側で上方受け部材８に当接する。さらに、編目抑止板５の一端に設けた連結用穴１１を図示しない駆動手段に取り付けて針床長手方向の各編成操作位置に摺動移動するように構成されている。編目抑止板５には編目抑止溝１２と編目複合傾斜面１３とが併設されており、編目抑止板５を摺動移動することで、指股部の編針にかかった各編目を編目抑止溝１２に収容したり、収容した各編目を編目複合傾斜面１３に沿って押し上げて、次の指袋の編目と重ねることができる。なお、図３では図５に示した従来の横編機における位置決めを容易にするための屈曲部２９は省略したが、本実施例でも屈曲部２９を設けても良い。
【００１２】
図４に示すように、上方受け部材８は、中央部にネジ穴２４を有する矩形の平板状体であって、矩形の一辺に屈曲部２５を形成し、屈曲部２５を介して連続するように、第１作用部２６と第２作用部２７とが構成されている。そして、図３に示すように、上方受け部材８は針床２の取り付け部１５に対して屈曲部２５が歯口７近傍に位置するようにネジ２８で固定される。針床２の歯口７において、上方受け部材８の第１作用部２６が編目抑止板５の上端面１６に当接し、上端面１６の近傍で編目抑止板５の裏面２３に第２作用部２７が当接することになる。
【００１３】
以上のように、編目抑止板５は、上方受け部材８の第１作用部２６によって針床２の歯口７側へ進出しないように規制されるとともに、第２作用部２７によって櫛状プレート３および編針４の裏面９からも離間しないように規制され、歯口７近傍に生じる隙間１４を好適に狭めて編糸の噛み込みを防止することができる。
【符号の説明】
【００１４】
１          横編機
２          針床
３          櫛状プレート
４          編針
５          編目抑止板
６          裏面受け部材
７          歯口
８，１０８  上方受け部材
９          櫛状プレートおよび編針の裏面
１０        針床面
１４        隙間
１６        編目抑止板の上端面
２０        編目抑止板の表面
２１        編目抑止板の下端面
２２        針床の上端面
２３        編目抑止板の裏面
２５        屈曲部
２６        第１作用部
２７        第２作用部
２８        ネジ
３０        鋼帯
【図１】
2011026741.tif 000003
【図２】
2011026741.tif 000004
【図３】
2011026741.tif 000005
【図４】
2011026741.tif 000006
【図５】
2011026741.tif 000007